Podtech/llm-jp-corpus-v4-ja_patent huggingface dataset:
【手続補正書】
【提出日】平成17年3月16日(2005.3.16)
【手続補正１】
【補正対象書類名】明細書
【補正対象項目名】特許請求の範囲
【補正方法】変更
【補正の内容】
【特許請求の範囲】
【請求項１】
塗被層が一層のみからなり、その塗被層が少なくとも、コロイダルシリカ、プラスチックピグメント、ポリビニルアルコール（ＰＶＡ）及びポリジアリルジメチルアンモニウムクロライド（poly-Ｄａｄｍａｃ）を含有し、前記塗被層がウエットゲル化法により塗被されたものであって、前記ゲル化剤がポリアクリル酸（ＰＡＡ）であることを特徴とする写真印刷用高光沢インクジェット記録用紙。
【請求項２】
前記塗被層が、沈降性シリカ、スチレンブタジエンラテックス（ＳＢＲ）、ポリエチレンワックスからなる群から選択される少なくとも１種をさらに含有することを特徴とする請求項１に記載の写真印刷用高光沢インクジェット記録用紙。
【手続補正２】
【補正対象書類名】明細書
【補正対象項目名】０００５
【補正方法】変更
【補正の内容】
【０００５】
【課題を解決するための手段】
本発明に係る写真印刷用光沢インクジェット記録用紙は、塗被層が一層のみからなり、その塗被層が少なくとも、コロイダルシリカ、プラスチックピグメント、ポリビニルアルコール（ＰＶＡ）及びポリジアリルジメチルアンモニウムクロライド（poly-Ｄａｄｍａｃ）を含有し、前記塗被層がウエットゲル化法により塗被されたものであって、前記ゲル化剤がポリアクリル酸（ＰＡＡ）であることを特徴とする。
また、本発明にかかる写真印刷用光沢インクジェット記録用紙は、前記塗被層が、沈降性シリカ、スチレンブタジエンラテックス（ＳＢＲ）、ポリエチレンワックスからなる群から選択される少なくとも１種をさらに含有することを特徴とする。
【手続補正３】
【補正対象書類名】明細書
【補正対象項目名】０００６
【補正方法】削除
【補正の内容】
【手続補正書】
【提出日】平成17年3月14日(2005.3.14)
【手続補正１】
【補正対象書類名】明細書
【補正対象項目名】特許請求の範囲
【補正方法】変更
【補正の内容】
【特許請求の範囲】
【請求項１】
スチールコードと該スチールコードのコーティングゴムとからなるベルト層を有する大型車両用ラジアルタイヤであって、前記コーティングゴムは、イソプレンゴムとトランスポリブタジエンとからなるゴム成分；及び１，６−ヘキサメチレンジチオ硫酸ナトリウム・二水和物を配合してなり、該１，６−ヘキサメチレンジチオ硫酸ナトリウム・二水和物の配合量が前記ゴム成分中のトランスポリブタジエンの重量の３０％以下であるゴム組成物からなることを特徴とするラジアルタイヤ。
【請求項２】
前記１，６−ヘキサメチレンジチオ硫酸ナトリウム・二水和物が前記ゴム成分１００重量部あたり０．３〜２．０重量部である請求項１記載のタイヤ。
【請求項３】
前記コーティングゴムは、加硫後、１００％伸長時の引張応力が３．５ＭＰａ（メガパスカル）以上であり、かつ２５℃で歪２％の条件下で測定したときのｔａｎδが０．２００以下である請求項１又は請求項２記載のタイヤ。
【請求項４】
前記トランスポリブタジエンは、そのトランス結合含有量が８２〜９８モル％であり且つ重量平均分子量が３０，０００から２００，０００である請求項１〜請求項３のいずれか１項記載のタイヤ。
【請求項５】
前記ラジアルタイヤが大型車両用ラジアルタイヤである請求項１〜請求項４のいずれか１項記載のタイヤ。
【請求項６】
スチールコード用コーティングゴムに用いるゴム組成物であって、イソプレンゴムとトランスポリブタジエンとからなるゴム成分；及び１，６−ヘキサメチレンジチオ硫酸ナトリウム・二水和物を配合してなり、該１，６−ヘキサメチレンジチオ硫酸ナトリウム・二水和物の配合量が前記トランスポリブタジエンの重量の３０％以下であることを特徴とする、上記ゴム組成物。
【請求項７】
前記１，６−ヘキサメチレンジチオ硫酸ナトリウム・二水和物の配合量が前記ゴム成分１００重量部あたり０．３〜２．０重量部である請求項６記載のゴム組成物。
【請求項８】
加硫後、１００％伸長時の引張応力が３．５ＭＰａ（メガパスカル）以上であり、かつ２５℃で歪２％の条件下で測定したときのｔａｎδが０．２００以下である請求項６又は請求項７記載のゴム組成物。
【請求項９】
前記トランスポリブタジエンは、そのトランス結合含有量が８２〜９８モル％であり且つ重量平均分子量が３０，０００から２００，０００である請求項６〜請求項８のいずれか１項記載のゴム組成物。
【請求項１０】
ゴム組成物とスチールコードとから成るゴム−スチールコード複合体であって、該ゴム組成物は、ポリイソプレンゴムとトランスポリブタジエンとからなるゴム成分；及び１，６−ヘキサメチレンジチオ硫酸ナトリウム・二水和物を配合してなり、該１，６−ヘキサメチレンジチオ硫酸ナトリウム・二水和物の配合量が前記ゴム成分中のトランスポリブタジエンの配合量の３０％以下である、上記複合体。
【手続補正書】
【提出日】平成16年2月3日(2004.2.3)
【手続補正１】
【補正対象書類名】明細書
【補正対象項目名】特許請求の範囲
【補正方法】変更
【補正の内容】
【特許請求の範囲】
【請求項１】
表示装置を有する画像形成装置において、
前記画像形成装置において障害が発生したとき、前記障害を解決するための手順を示す一連の画面を、前記表示装置の同一表示画面上に表示することを特徴とする画像形成装置。
【請求項２】
表示装置を有する画像形成装置において、
所定のボタンが押されたとき、前記画像形成装置において発生した障害を解決するための手順を示す一連の画面を、前期表示装置の同一表示画面上に表示することを特徴とする画像形成装置。
【請求項３】
前記表示装置は、前記表示画面の上面に感圧センサを備え、前記表示画面に表示されたボタンに対応した位置が押圧されると前記感圧センサが感知して、前記ボタンが押圧されたことを認識する入力機構を備え、
前記一連の画面の中の一画面が押圧されたら、押圧された画面が拡大されて表示されることを特徴とする請求項１または２記載の画像形成装置。
【請求項４】
画像形成装置において障害が発生したとき、前記障害を解決するための処理手順を示す一連の画面を、表示装置の同一表示画面上に表示することを特徴とする表示方法。
【請求項５】
表示装置を有する画像形成装置において、印刷ジョブを受信したとき、前記表示装置の表示画面に前記印刷ジョブの送出者の識別名を表示することを特徴とする表示装置付き画像形成装置。
【請求項６】
前記表示画面は、上面に感圧センサを備え、前記表示画面に表示されたボタンに対応した位置が押圧されると前記感圧センサが感知して、前記ボタンが押圧されたことを認識する入力機構を備えたことを特徴とする請求項５記載の表示装置付き画像形成装置。
【請求項７】
前記表示画面は、前記画像形成装置が複数の出力装置から送出された印刷ジョブを受信したとき、各印刷ジョブの一覧とともに印刷ジョブの送出者の識別名を表示することを特徴とする請求項５または６に記載の表示装置付き画像形成装置。
【請求項８】
前記表示画面から印刷ジョブの変更を入力したとき、該変更にかかる印刷ジョブの送出者の識別名を該変更実行前に表示することを特徴とする請求項６または７に記載の表示装置付き画像形成装置。
【手続補正２】
【補正対象書類名】明細書
【補正対象項目名】００１２
【補正方法】変更
【補正の内容】
【００１２】
すなわち、表示方法及び画像形成装置において、障害発生時に障害解決手段を示す一連の画面を同一表示画面内に表示することとした。また、上記一連の障害解決手段の表示は所定のボタンが押されたとき行なわれるようにしてもよい。画面に表示された上記一連の画面のうちの１つの画面を押すと、その画面が拡大されて表示されることとした。


【手続補正３】
【補正対象書類名】明細書
【補正対象項目名】００４７
【補正方法】変更
【補正の内容】
【００４７】
【発明の効果】
本発明の画像形成装置によれば、障害を解決するための手順を示す一連の画面を、表示装置の同一表示画面上に表示するので、画面を確認するのに手間や時間がかからない。
【手続補正４】
【補正対象書類名】明細書
【補正対象項目名】００４８
【補正方法】変更
【補正の内容】
【００４８】
本発明の画像形成装置によれば、印刷ジョブを受信したとき、印刷ジョブを送出した送出者の識別名が表示されるので、ジョブの送出者が表示画面から確認でき、それに基づいて任意にジョブの印刷順等を変更することができる。したがって、他の人からのジョブが入力されているときでも、容易に判断でき、ジョブのキャンセル、変更等を行なえ効率よく画像形成することができる。
【手続補正書】
【提出日】平成16年10月29日(2004.10.29)
【手続補正１】
【補正対象書類名】明細書
【補正対象項目名】特許請求の範囲
【補正方法】変更
【補正の内容】
【特許請求の範囲】
【請求項１】
複数のマークを有する中間転写体と、
その中の１つのマークを基準として用紙搬送タイミングを決定する決定手段と、
外部環境を検出する外部環境検出手段と、
外部環境検出手段により検出した外部環境を元に前記決定手段により決定された用紙搬送タイミングを補正し、
補正された用紙搬送タイミングで用紙を搬送する
ことを特徴とする画像形成装置。
【請求項２】
請求項１に記載の画像形成装置において、
前記中間転写体のマークを更に書き込み、作像のための基準として使用し、
書き込み及び／又は作像の線速と用紙搬送の線速とが異なる場合は、
上記補正された用紙搬送タイミングをその線速の比率により更に補正して、その補正された用紙搬送タイミングで用紙を搬送する
ことを特徴とする画像形成装置。
【請求項３】
請求項１に記載の画像形成装置において、
外部環境に基づいた用紙搬送タイミングの補正を用紙搬送直前に行う
ことを特徴とする画像形成装置。
【請求項４】
請求項１に記載の画像形成装置において、
外部環境に基づいた用紙搬送タイミングの補正をプリント命令受信直後に行う
ことを特徴とする画像形成装置。
【手続補正２】
【補正対象書類名】明細書
【補正対象項目名】０００６
【補正方法】変更
【補正の内容】
【０００６】
【課題を解決するための手段】
上記課題を解決するために、請求項１に記載の発明は、複数のマークを有する中間転写体と、その中の１つのマークを基準として用紙搬送タイミングを決定する決定手段と、外部環境を検出する外部環境検出手段と、外部環境検出手段により検出した外部環境を元に前記決定手段により決定された用紙搬送タイミングを補正し、補正された用紙搬送タイミングで用紙を搬送する  画像形成装置とする。
請求項２に記載の発明は、請求項１に記載の画像形成装置において、前記中間転写体のマークを更に書き込み、作像のための基準として使用し、書き込み及び／又は作像の線速と用紙搬送の線速とが異なる場合は、上記補正された用紙搬送タイミングをその線速の比率により更に補正して、その補正された用紙搬送タイミングで用紙を搬送する画像形成装置とする。
請求項３に記載の発明は、請求項１に記載の画像形成装置において、外部環境に基づいた用紙搬送タイミングの補正を用紙搬送直前に行う画像形成装置とする。
請求項４に記載の発明は、請求項１に記載の画像形成装置において、外部環境に基づいた用紙搬送タイミングの補正をプリント命令受信直後に行う画像形成装置とする。
【手続補正書】
【提出日】平成16年4月13日(2004.4.13)
【手続補正１】
【補正対象書類名】明細書
【補正対象項目名】特許請求の範囲
【補正方法】変更
【補正の内容】
【特許請求の範囲】
【請求項１】
チェックサムを動的に移動させるシステムであって、
第１のメモリシステムに対してデータの記憶および取得を行なうための第１のメモリコントローラを有する第１のメモリシステムであって、チェックサムインジケータに関する第１のメモリ位置を有し、前記チェックサムインジケータがチェックサムメモリ位置を含む他のメモリシステムを識別し、前記チェックサムメモリ位置が前記第１のメモリ位置に記憶されているデータ値に関するチェックサムを記憶している、第１のメモリシステムと、
第２のメモリシステムに対してデータの記憶および取得を行なうための第２のメモリコントローラを有する第２のメモリシステムと、
前記チェックサムを前記チェックサムメモリ位置から前記第２のメモリシステム内の宛先メモリ位置へ移動させるように構成され、前記チェックサムインジケータが前記他のメモリシステムに換えて前記第２のメモリシステムを識別するように前記チェックサムインジケータを更新するように更に構成され、前記チェックサムを前記宛先メモリ位置へ移動させた後、前記チェックサムメモリ位置からデータ値を取得し、前記チェックサムメモリ位置から取得したデータ値で前記チェックサムを更新するように更に構成された、システムマネージャと、
からなるシステム。
【請求項２】
チェックサムを動的に移動させるシステムであって、
複数のメモリシステムがそれぞれ、メモリユニットと、該メモリユニットに対してデータの記憶および取得を行なうためのメモリコントローラとを有し、前記メモリシステムがそれぞれ、特定のメモリユニットオフセット値に関連するとともに複数のチェックサムインジケータのうちの１つに関連するメモリ位置を有し、前記チェックサムインジケータがそれぞれ、前記特定のメモリユニットオフセット値に関連するチェックサムメモリ位置にチェックサムを記憶しているメモリシステムを識別するように構成された、複数のメモリシステムと、
前記チェックサムメモリ位置から前記特定のメモリユニットオフセット値に関連する宛先メモリ位置へチェックサムを移動させるように構成され、前記チェックサムインジケータがそれぞれ前記宛先メモリ位置の前記メモリシステムを識別するように前記チェックサムインジケータをそれぞれ更新するように更に構成され、前記チェックサムインジケータをそれぞれ更新した後、前記宛先メモリ位置に記憶された前記チェックサムを前記チェックサムメモリ位置から取得したデータ値で更新するように更に構成された、システムマネージャと、
からなるシステム。
【請求項３】
チェックサムを動的に移動させる方法であって、
複数のメモリシステムを設けるステップと、
前記メモリシステムのうちの１つのメモリシステムのあるメモリ位置にデータ値を記憶するステップと、
前記メモリシステムのうちの他のメモリシステムの他のメモリ位置にチェックサムを保持するステップと、
前記１つのメモリシステムの前記メモリ位置に関連するとともに前記他のメモリシステムを識別するチェックサムインジケータを保持するステップと、
前記記憶するステップに応答して前記チェックサムインジケータを分析するステップと、
前記記憶するステップに応答し、前記分析するステップに基づいて、前記チェックサムを更新するステップと、
前記チェックサムを宛先メモリ位置に記憶するステップと、
前記チェックサムインジケータが前記宛先メモリ位置のメモリシステムを識別するように前記チェックサムインジケータを更新するステップと、
前記宛先メモリ位置に記憶された前記チェックサムを前記他のメモリシステムの前記他のメモリ位置から取得したデータ値で更新するステップと、
からなる方法。
【手続補正書】
【提出日】平成16年8月6日(2004.8.6)
【手続補正１】
【補正対象書類名】明細書
【補正対象項目名】特許請求の範囲
【補正方法】変更
【補正の内容】
【特許請求の範囲】
【請求項１】
コンピュータ（１１０）と共に用いる周辺装置（１２０）を選択する方法（３００）あって、
（ａ）前記コンピュータが接続されているネットワークスイッチ（１３０）を識別するステップと、
（ｂ）前記ネットワークスイッチ（１３０）に接続されている１つ以上の周辺装置を判定するステップと、
（ｃ）所定の判定基準にしたがって、前記判定された周辺装置のいずれかを選択するステップと
を有する方法。
【請求項２】
前記判定するステップは、
前記ネットワークスイッチ（１３０）に接続されているすべての周辺装置を判定するステップ
を含む
請求項１に記載の方法。
【請求項３】
前記選択するステップは、
すべての判定された周辺装置の数が１である場合には、前記判定された周辺装置を選択するステップ
を含む
請求項２に記載の方法。
【請求項４】
前記選択するステップは、
すべての判定された周辺装置の数が所定の数よりも少ない場合には、前記判定された周辺装置のうちの１つを選択するステップ
を含む
請求項２に記載の方法。
【請求項５】
前記周辺装置（１２０）はプリンタである
請求項１に記載の方法。
【請求項６】
（ａ）ネットワークスイッチ識別モジュール（４１０）と、
（ｂ）前記ネットワークスイッチ識別モジュール（４１０）に接続された周辺装置判定エージェント（４３０）と、
（ｃ）前記周辺装置判定エージェント（４３０）に接続された、周辺装置選択論理（４４０）と
を有する装置。
【請求項７】
前記周辺装置判定エージェント（４３０）に接続されたスイッチ接続テーブルリーダー（４２０）
をさらに含む請求項６に記載の装置。
【請求項８】
前記周辺装置選択論理（４４０）に接続された第２の基準エージェント（４５０）
をさらに含む請求項６に記載の装置。
【請求項９】
前記ネットワークスイッチ識別モジュール（４１０）と、前記周辺装置判定エージェント（４３０）と、前記周辺装置選択論理（４４０）とに接続された主制御モジュール（４６０）
をさらに含む請求項６に記載の装置。
【請求項１０】
前記ネットワークスイッチ識別モジュール（４１０）と、前記周辺装置判定エージェント（４３０）とに接続されたネットワークインターフェース（２２０）
をさらに含む請求項６に記載の装置。
【手続補正書】
【提出日】平成16年6月16日(2004.6.16)
【手続補正１】
【補正対象書類名】明細書
【補正対象項目名】特許請求の範囲
【補正方法】変更
【補正の内容】
【特許請求の範囲】
【請求項１】
画素単位に設けられた複数のメモリセルにより少なくとも構成されるＲＡＭを内蔵する表示ドライバであって、
前記複数のメモリセルの各メモリセルは、
互いに相補的な論理レベルを記憶する第１及び第２のノードを有するフリップフロップと、
第１のワードラインがアクティブになった場合に第１のビットラインと前記第１のノードとを電気的に接続するための第１のスイッチ素子と、
第２のワードラインがアクティブになった場合に第２のビットラインと前記第１のノードとを電気的に接続するための第２のスイッチ素子と、
セット信号に基づいて、前記第２のノードを第１の論理レベルに設定する設定回路と、
所与の読み出し信号に基づいて、前記第２のノードに記憶された論理レベルを表示用読み出し線に出力するための回路と、
を含み、
画素に対応する複数のメモリセルごとに、第２のノードを第１の論理レベルに設定する前記セット信号を画素単位に生成するセット信号生成回路を含むことを特徴とする表示ドライバ。
【請求項２】
請求項１において、
前記セット信号生成回路は、
書き込み対象の画素単位に変化するパルス信号と前記第１又は第２のワードラインとがアクティブになったことを条件にアクティブとなる前記セット信号を、画素単位に生成することを特徴とする表示ドライバ。
【請求項３】
請求項１又は２において、
読み出し動作前に、前記第１のビットラインをプリチャージ電位にプリチャージする回路と、
少なくとも読み出し動作を行うときに、所与のノードを前記プリチャージ電位より低い一定電位に設定するための定電位生成回路と、
前記第１のビットラインの電位と前記所与のノードの電位とを比較し、この比較結果に対応した論理レベルの信号を出力する出力バッファ回路と、
を含むことを特徴とする表示ドライバ。
【請求項４】
請求項３において、
前記定電位生成回路は、
前記所与のノードにそれぞれ一端が接続される第１及び第２のキャパシタを含み、
前記第１のキャパシタの他端は、接地電位に接続され、
前記第２のキャパシタの他端は、読み出し動作前には前記プリチャージ電位と同等の電位に接続され、少なくとも読み出し動作を行うときには前記接地電位に接続されることを特徴とする表示ドライバ。
【請求項５】
請求項１乃至４のいずれかにおいて、
前記メモリセルは、画素単位に行方向に配列され、
前記表示用読み出し線は、所与のブロック単位に分割された列方向のメモリセルごとに１本ずつ設けられ、前記ブロック中の１つのメモリセルより読み出される表示データを伝送し、
列方向に沿って画素単位に前記メモリセルを順次選択するための複数の表示用ワード線と、
列方向のメモリセルに共用され、前記複数の表示用ワード線により順次選択されるメモリセルから読み出された表示データが伝送されるメイン読み出し線と、
各ブロックごとに設けられた前記表示用読み出し線と前記メイン読み出し線とを択一的に接続する複数のメインスイッチと、
を含むことを特徴とする表示ドライバ。
【請求項６】
請求項１乃至５のいずれかにおいて、
１ドット当たりの階調データのビット数をｎ、表示データを出力するための出力電極のピッチをΔＬ、前記メモリセルのピッチをＬＣとした場合に、
（ｎ×ＬＣ）×Ａ＜ΔＬ（Ａは、自然数）
の関係が成り立つｎ×Ａ個の前記メモリセルが行方向に配列されていることを特徴とする表示ドライバ。
【請求項７】
請求項６において、
前記行方向に配列されたｎ×Ａ個の前記メモリセルに共通に接続されるワードラインをアクティブにして読み出された表示データをラッチするラッチ回路と、
前記ラッチ回路にラッチされた表示データを画素単位に順次選択的に出力させるセレクタ回路と、
を含むことを特徴とする表示ドライバ。
【請求項８】
複数の第１の電極と複数の第２の電極により駆動される電気光学素子を有するパネルと、
前記複数の第１の電極を駆動する請求項１乃至７のいずれか記載の表示ドライバと、
前記複数の第２の電極を走査駆動する走査駆動ドライバと、
を有することを特徴とする表示ユニット。
【請求項９】
請求項８記載の表示ユニットと、
前記表示ユニットにコマンド、静止画データおよび動画データを供給するＭＰＵと、
を有することを特徴とする電子機器。
【手続補正２】
【補正対象書類名】明細書
【補正対象項目名】００１５
【補正方法】変更
【補正の内容】
【００１５】
また本発明は、前記定電位生成回路は、前記所与のノードにそれぞれ一端が接続される第１及び第２のキャパシタを含み、前記第１のキャパシタの他端は、接地電位に接続され、前記第２のキャパシタの他端は、読み出し動作前には前記プリチャージ電位と同等の電位に接続され、少なくとも読み出し動作を行うときには前記接地電位に接続されることを特徴とする。
【手続補正３】
【補正対象書類名】明細書
【補正対象項目名】００２６
【補正方法】変更
【補正の内容】
【００２６】
また本発明に係る電子機器は、上記記載の表示ユニットと、前記表示ユニットにコマンド、静止画データおよび動画データを供給するＭＰＵとを有することを特徴とする。
【手続補正４】
【補正対象書類名】明細書
【補正対象項目名】０１８３
【補正方法】変更
【補正の内容】
【０１８３】
ＸドライバＩＣ４００には、上述した表示データＲＡＭ５００、Ｉ／Ｏバッファ５０２の他に、ＭＰＵ系制御回路４３０、カラムアドレス制御回路４４０、ページアドレス制御回路４５０、ドライバ系制御回路４７０、ＰＷＭデコーダ回路４８０及び液晶駆動回路４９０などが設けられている。
【手続補正５】
【補正対象書類名】図面
【補正対象項目名】図１１
【補正方法】変更
【補正の内容】
【図１１】
2002244624.tif 000001
【手続補正６】
【補正対象書類名】図面
【補正対象項目名】図１９
【補正方法】変更
【補正の内容】
【図１９】
2002244624.tif 000002
【手続補正書】
【提出日】平成17年3月22日(2005.3.22)
【手続補正１】
【補正対象書類名】明細書
【補正対象項目名】００２３
【補正方法】変更
【補正の内容】
【００２３】
また、他のアドレス期間の短縮の方法として、パネルの上下でアドレス電極を分離し、２行同時駆動する方法がある。しかし、この方法ではアドレス電極の数が倍になり、駆動ＩＣの数も倍になることから製品コストが上昇するという問題がある。
なお、この種の技術に関連するものとして、例えば特開平０６−１４９１７６号公報、特開平０９−００６２８０号公報および特開平１１−２６５１６３号公報を挙げることができる。
【手続補正書】
【提出日】平成17年9月30日(2005.9.30)
【手続補正１】
【補正対象書類名】明細書
【補正対象項目名】特許請求の範囲
【補正方法】変更
【補正の内容】
【特許請求の範囲】
【請求項１】  側鎖に重合性二重結合を有しかつカルボキシル基含有モノマーを共重合成分として有するポリマー、有機ホウ素塩、及びヒンダードアミン系化合物を含有することを特徴とする感光性組成物。
【請求項２】  更にエチレン性不飽和化合物を含有する請求項１に記載の感光性組成物。
【請求項３】  前記有機ホウ素塩を３８０ｎｍから１３００ｎｍの波長域において増感する増感色素を含有する請求項１に記載の感光性組成物。
【請求項４】  更にトリハロアルキル置換化合物を含有する請求項１、２または３に記載の感光性組成物。
【手続補正書】
【提出日】平成16年11月25日(2004.11.25)
【手続補正１】
【補正対象書類名】明細書
【補正対象項目名】特許請求の範囲
【補正方法】変更
【補正の内容】
【特許請求の範囲】
【請求項１】
レーザー彫り込み可能なフレキソ印刷の印刷要素であって、
（ａ）支持体、および、（ｂ）エラストマー結合剤、少なくとも１つのモノマー、重合が進むにつれて紫外線の吸光度が減少する光開始剤システム、および赤外線を吸収するケイ素−酸素またはリン−酸素の官能性を含む少なくとも１つの添加剤を含んでいるエラストマー組成物の少なくとも１つのレーザー彫り込み可能な強化エラストマー層を含むことを特徴とする印刷要素。
【請求項２】
フレキソ印刷の印刷版を形成する方法であって、
（１）（ａ）支持体、および、（ｂ）エラストマー結合剤、少なくとも１つのモノマー、重合が進むにつれて紫外線の吸光度が減少する光開始剤システム、および９〜１２マイクロメーターの赤外線を吸収するケイ素−酸素またはリン−酸素の官能性を含む添加剤を含んでいるエラストマー組成物の少なくとも１つのレーザー彫り込み可能な強化エラストマー層を含む感光性の印刷要素を提供する工程、
（２）感光性の印刷要素全体を紫外線に露光して徹底的に光硬化させる工程、および、
（３）光硬化した要素を画像通りに９と１２マイクロメーターの間の赤外線に露光してそのエラストマー層を彫り込む工程、
を含むことを特徴とする方法。
【手続補正２】
【補正対象書類名】明細書
【補正対象項目名】００３６
【補正方法】変更
【補正の内容】
【００３６】
さらに、これらの要素を、化学線に全体を露光するようなレーザー彫り込み後の処理にかけることもできる。化学線に露光することは、一般に、化学的硬化プロセスを完成させることを目的にしている。これは、特に、レーザーによる彫り込みによって作られる床および側壁の表面の場合に当てはまる。
本発明は以下の実施の態様を含むものである。
１．レーザー彫り込み可能なフレキソ印刷の印刷要素であって、
（ａ）支持体、および
（ｂ）エラストマー結合剤、少なくとも１つのモノマー、重合が進むにつれて紫外線の吸光度が減少する光開始剤システム、および赤外線を吸収するケイ素−酸素またはリン−酸素の官能性を含む少なくとも１つの添加剤を含んでいるエラストマー組成物の少なくとも１つのレーザー彫り込み可能な強化エラストマー層である印刷要素。
２．前記１の光開始剤がアシルホスフィンオキシドの漂白可能な光開始剤であることが好ましい。
３．前記２の漂白可能な光開始剤が２，４，６−トリメチル−ベンゾイル−ジフェニルホスフィンオキシド、ビス（２，４，６−トリメチルベンゾイル）−２，４−ジイソブトキシフェニルホスフィンオキシド、ビス（２，４，６−トリメチルベンゾイル）−フェニルホスフィンオキシド、ビス（２，４，６−トリメチルベンゾイル）−２，４−ジオクチルオキシフェニルホスフィンオキシド、ビス（２，４，６−トリメチルベンゾイル）−２，４−ジイソプロポキシフェニルホスフィンオキシド、ビス（２，４，６−トリメチルベンゾイル）−２，４−ジヘキシルオキシフェニルホスフィンオキシド、ビス（２，４，６−トリメチルベンゾイル）−２，４−ジ−二級−ブトキシフェニルホスフィンオキシド、ビス（２，４，６−トリメチルベンゾイル）−２−メチル−４−メトキシフェニルホスフィンオキシド、ビス（２，４，６−トリメチルベンゾイル）−２−プロポキシ−４−メチルフェニルホスフィンオキシド、ビス（２，４，６−トリメチルベンゾイル）−２，４−ジイソペンチルオキシフェニルホスフィンオキシド、ビス（２，４，６−トリメチルベンゾイル）−２，６−ジメチル−４−ブトキシフェニルホスフィンオキシド、ビス（２，６−ジメトキシベンゾイル）−２，４−ジオクチルオキシフェニルホスフィンオキシド、ビス（２，６−ジメトキシベンゾイル）−２，４−ジイソブトキシフェニルホスフィンオキシド、ビス（２，６−ジメトキシベンゾイル）−２−メチル−４−メトキシフェニルホスフィンオキシド、およびビス（２，６−ジエトキシベンゾイル）−２−プロポキシ−４−メチルフェニルホスフィンオキシドから成る群から選ばれることが好ましい。
４．前記２の漂白可能な光開始剤がビス（２，４，６−トリメチルベンゾイル）−フェニルホスフィンオキシドおよび２，４，６−トリメチル−ベンゾイルジフェニルホスフィンオキシドから成る群から選ばれることが好ましい。
５．前記１のケイ素−酸素の官能性を含んでいる添加物がシリカ、ケイ酸カルシウム、雲母、粘土、タルク、ケイ酸ジルコニウムから成る群から選ばれることが好ましい。
６．前記１のリン−酸素の官能性を含んでいる添加物が芳香族のリン酸塩、芳香族の亜リン酸塩および芳香族のホスホン酸塩から成る群から選ばれることが好ましい。
７．前記１の結合剤がエラストマー組成物の４０から７５重量％存在することが好ましい。
８．前記１の少なくとも１つの添加物がエラストマー組成物の重量に基づいて１から２０重量％存在し、ケイ酸塩、芳香族のリン酸塩、芳香族の亜リン酸塩および芳香族のホスホン酸塩から成る群から選ばれることが好ましい。
９．前記１の少なくとも１つの添加物が９〜１２マイクロメーターの赤外線を吸収することが好ましい。
１０．フレキソ印刷の印刷版を形成する方法であって、
（１）（ａ）支持体、および
（ｂ）エラストマー結合剤、少なくとも１つのモノマー、重合が進むにつれて紫外線の吸光度が減少する光開始剤システム、および９〜１２マイクロメーターの赤外線を吸収するケイ素−酸素またはリン−酸素の官能性を含む添加剤を含んでいるエラストマー組成物の少なくとも１つのレーザー彫り込み可能な強化エラストマー層を含む感光性の印刷要素を提供する工程、
（２）感光性の印刷要素全体を紫外線に露光して徹底的に光硬化させる工程、および、
（３）光硬化した要素を画像通りに９と１２マイクロメーターの間の赤外線に露光してそのエラストマー層を彫り込む工程、を含む方法。
【手続補正書】
【提出日】平成16年3月18日(2004.3.18)
【手続補正１】
【補正対象書類名】明細書
【補正対象項目名】特許請求の範囲
【補正方法】変更
【補正の内容】
【特許請求の範囲】
【請求項１】
基板上に、
画素電極と、
該画素電極に接続された薄膜トランジスタと、
該薄膜トランジスタの上側に配置されており前記薄膜トランジスタの少なくともチャネル領域を上側から覆う上側遮光膜と、
前記薄膜トランジスタの下側に配置されており前記薄膜トランジスタの少なくとも前記チャネル領域を下側から覆う下側遮光膜と
を備えており、
前記基板は、前記チャネル領域に対向する領域に凸部を有し、前記下側遮光膜は、該凸部上に形成されていることを特徴とする電気光学装置。
【請求項２】
前記下側遮光膜は、少なくとも前記凸部の上面及び側面上に形成されていることを特徴とする請求項１に記載の電気光学装置。
【請求項３】
前記凸部は、前記チャネル領域毎に島状に形成されていることを特徴とする請求項１又は２に記載の電気光学装置。
【請求項４】
前記凸部は、ストライプ状に形成されていることを特徴とする請求項１又は２に記載の電気光学装置。
【請求項５】
前記凸部は、前記チャネル領域に加えて、前記薄膜トランジスタの半導体層における前記チャネル領域に隣接する領域に対向する領域にも形成されていることを特徴とする請求項１から４のいずれか一項に記載の電気光学装置。
【請求項６】
前記凸部は、前記基板上の前記凸部を除く領域がエッチングされてなることを特徴とする請求項１から５のいずれか一項に記載の電気光学装置。
【請求項７】
前記凸部は、前記基板上に形成された凸部形成用部材からなることを特徴とする請求項１から５のいずれか一項に記載の電気光学装置。
【請求項８】
前記下側遮光膜は、高融点金属を含む膜からなることを特徴とする請求項１から７のいずれか一項に記載の電気光学装置。
【請求項９】
前記基板には、格子状の非画素開口領域に沿って溝が掘られており、
前記凸部は、前記溝内で盛り上げられてなることを特徴とする請求項１から８のいずれか一項に記載の電気光学装置。
【請求項１０】
前記基板上に、前記薄膜トランジスタに接続された配線を更に備えており、
前記基板には、前記配線に対向する領域に溝が掘られており、
前記凸部は、前記溝内で盛り上げられてなることを特徴とする請求項１から８のいずれか一項に記載の電気光学装置。
【請求項１１】
前記凸部は、側面にテーパが付けられていることを特徴とする請求項１から１０のいずれか一項に記載の電気光学装置。
【請求項１２】
前記上側遮光膜は、前記凸部の盛り上がりに応じて前記チャネル領域を帽子状に覆うように傾斜する部分を含むことを特徴とする請求項１から１１のいずれか一項に記載の電気光学装置。
【請求項１３】
前記基板に対して電気光学物質を介して対向配置された対向基板を更に備えており、
前記上側遮光膜に代えて又は加えて、前記対向基板上に、少なくとも前記チャネル領域を上方から覆う他の遮光膜を備えたことを特徴とする請求項１から１２のいずれか一項に記載の電気光学装置。
【請求項１４】
前記上側遮光膜は、少なくとも部分的に容量線或いは容量電極からなることを特徴とする請求項１から１３のいずれか一項に記載の電気光学装置。
【請求項１５】
前記上側遮光膜における前記チャネル領域に対向する側は光吸収層からなることを特徴とする請求項１から１４のいずれか一項に記載の電気光学装置。
【請求項１６】
請求項１から１５のいずれか一項に記載の電気光学装置と、
該電気光学装置に光を入射する光源と、
前記電気光学装置から出射される光を画像として投射する投射光学系と
を備えたことを特徴とする投射型表示装置。
【手続補正書】
【提出日】平成16年3月30日(2004.3.30)
【手続補正１】
【補正対象書類名】明細書
【補正対象項目名】発明の名称
【補正方法】変更
【補正の内容】
【発明の名称】電気光学装置、その製造方法及び投射型表示装置
【手続補正２】
【補正対象書類名】明細書
【補正対象項目名】特許請求の範囲
【補正方法】変更
【補正の内容】
【特許請求の範囲】
【請求項１】
基板上の画像表示領域に、マトリクス状に配置された配線と、前記配線の交差部に対応して配置される薄膜トランジスタ及び画素電極と、前記画素電極に接続されていると共に前記トランジスタに対して積層形成された蓄積容量とを備えており、
前記基板上の周辺領域に、前記トランジスタを構成する半導体膜及び絶縁膜のうち少なくとも一つと同一膜を元に形成された部分を含む第１電子素子と、該第１電子素子に対して積層形成されており且つ前記蓄積容量を構成する導電膜及び絶縁膜のうち少なくとも一つと同一膜を元に形成された部分を含む第２電子素子とを含んでなり、前記配線及び前記トランジスタを介して前記画素電極を動作させるための周辺回路を備えたことを特徴とする電気光学装置。
【請求項２】
前記配線は、相交差する走査線及びデータ線を含み、
前記周辺回路は、前記走査線を駆動する走査線駆動回路及び前記データ線を駆動するデータ線駆動回路を含むことを特徴とする請求項１に記載の電気光学装置。
【請求項３】
前記配線は、相交差する走査線及びデータ線を含み、
前記周辺回路は、画像信号線上の画像信号をサンプリングして前記データ線に供給するサンプリング回路を含むことを特徴とする請求項１又は２に記載の電気光学装置。
【請求項４】
前記第１電子素子及び前記第２電子素子の少なくとも一方は、トランジスタからなることを特徴とする請求項１から３のいずれか一項に記載の電気光学装置。
【請求項５】
前記第１電子素子及び前記第２電子素子は、ＣＭＯＳ（Complementary Metal Oxide Semiconductor：相補型金属酸化膜半導体）型のトランジスタとして構成されることを特徴とする請求項１から４のいずれか一項に記載の電気光学装置。
【請求項６】
前記第１電子素子及び前記第２電子素子の少なくとも一方は、容量からなることを特徴とする請求項１から５のいずれか一項に記載の電気光学装置。
【請求項７】
前記第１電子素子及び前記第２電子素子の少なくとも一方は、抵抗からなることを特徴とする請求項１から５のいずれか一項に記載の電気光学装置。
【請求項８】
前記第１電子素子と前記第２電子素子とは、高融点金属のプラグを介して相互に電気的に接続されたことを特徴とする請求項１から７のいずれか一項に記載の電気光学装置。
【請求項９】
前記第１電子素子と前記第２電子素子とは、前記第１電子素子及び前記第２電子素子のうち上側に積層された方の更に上側に積層された他の導電膜を介して、相互に電気的に接続されたことを特徴とする請求項１から７のいずれか一項に記載の電気光学装置。
【請求項１０】
前記第１電子素子及び前記第２電子素子に対して、更に１つ以上の電子素子が積層形成されていることを特徴とする請求項１から９のいずれか一項に記載の電気光学装置。
【請求項１１】
前記第１電子素子及び前記第２電子素子間の積層位置に、固定電位に落とされた導電膜が更に積層されていることを特徴とする請求項１から１０のいずれか一項に記載の電気光学装置。
【請求項１２】
前記画像表示領域において、前記蓄積容量に代えて又は加えて、前記トランジスタに積層形成された他のトランジスタを更に備えたことを特徴とする請求項１から１１のいずれか一項に記載の電気光学装置。
【請求項１３】
請求項１から１２のいずれか一項に記載の電気光学装置を製造する電気光学装置の製造方法であって、
前記画像表示領域において前記トランジスタを形成する工程と並行して前記周辺領域において前記第１電子素子を形成する工程を行ない、
前記画像表示領域において前記蓄積容量を形成する工程と並行して前記周辺領域において前記第２電子素子を形成する工程を行なうことを特徴とする電気光学装置の製造方法。
【請求項１４】
前記同一膜はポリシリコン膜からなり、前記画像表示領域及び前記周辺領域のいずれか一方にマスクしつつ前記ポリシリコン膜に対して不純物注入することにより、マスクした方の領域における前記ポリシリコン膜を半導体膜として維持しつつマスクしない方の領域における前記ポリシリコン膜を導電膜とする工程を含むことを特徴とする請求項１３に記載の電気光学装置の製造方法。
【請求項１５】
前記画像表示領域及び前記周辺領域で、前記同一膜を元に構成するトランジスタの極性を統一することを特徴とする請求項１３又は１４に記載の電気光学装置の製造方法。
【請求項１６】
請求項１から１５のいずれか一項に記載の電気光学装置からなるライトバルブと、
該ライトバルブに投射光を照射する光源と、
前記ライトバルブから出射される投射光を投射する光学系と
を備えたことを特徴とする投射型表示装置。
【手続補正３】
【補正対象書類名】明細書
【補正対象項目名】０００９
【補正方法】変更
【補正の内容】
【０００９】
【課題を解決するための手段】
本発明の電気光学装置は上記課題を解決するために、基板上の画像表示領域に、マトリクス状に配置された配線と、前記配線の交差部に対応して配置される薄膜トランジスタ及び画素電極と、前記画素電極に接続されていると共に前記トランジスタに対して積層形成された蓄積容量とを備えており、
前記基板上の周辺領域に、前記トランジスタを構成する半導体膜及び絶縁膜のうち少なくとも一つと同一膜を元に形成された部分を含む第１電子素子と、該第１電子素子に対して積層形成されており且つ前記蓄積容量を構成する導電膜及び絶縁膜のうち少なくとも一つと同一膜を元に形成された部分を含む第２電子素子とを含んでなり、前記配線及び前記トランジスタを介して前記画素電極を動作させるための周辺回路を備える。
【手続補正書】
【提出日】平成16年3月30日(2004.3.30)
【手続補正１】
【補正対象書類名】明細書
【補正対象項目名】発明の名称
【補正方法】変更
【補正の内容】
【発明の名称】電気光学装置及び投射型表示装置
【手続補正２】
【補正対象書類名】明細書
【補正対象項目名】特許請求の範囲
【補正方法】変更
【補正の内容】
【特許請求の範囲】
【請求項１】
基板上に、
マトリクス状に配置された配線と、
前記配線の交差部に対応して配置される薄膜トランジスタ及び画素電極と、
前記薄膜トランジスタの上側に配置されており前記薄膜トランジスタの少なくともチャネル領域を上側から覆う上側遮光膜と、
前記薄膜トランジスタの下側に配置されており前記薄膜トランジスタの少なくとも前記チャネル領域を下側から覆う下側遮光膜と
を備えており、
前記基板には、前記配線及び前記薄膜トランジスタに対向する領域に第１溝が掘られており、
前記基板には更に、前記第１溝内における前記チャネル領域に対向する領域に第２溝が掘られており、
前記下側遮光膜は、前記第２溝内に形成されていることを特徴とする電気光学装置。
【請求項２】
前記第２溝の側壁には、テーパが付けられていることを特徴とする請求項１に記載の電気光学装置。
【請求項３】
前記下側遮光膜の平面形状は、前記上側遮光膜の平面形状より一回り小さいことを特徴とする請求項１又は２に記載の電気光学装置。
【請求項４】
前記配線は、導光膜からなる一の配線と遮光膜からなる他の配線とを含み、
前記第２溝は、前記チャネル領域に対向する領域に加えて前記一の配線に対向する領域にも掘られていることを特徴とする請求項１から３のいずれか一項に記載の電気光学装置。
【請求項５】
前記配線は、前記薄膜トランジスタのゲート電極を含むと共に該ゲート電極の部分で幅広に形成された走査線を含み、
前記第２溝は、前記チャネル領域に対向する領域に加えて前記走査線に対向する領域にも掘られていることを特徴とする請求項１から４のいずれか一項に記載の電気光学装置。
【請求項６】
前記第２溝は、前記チャネル領域に加えて、前記半導体層における前記チャネル領域に隣接する領域に対向する領域にも掘られていることを特徴とする請求項１から５のいずれか一項に記載の電気光学装置。
【請求項７】
前記下側遮光膜は、高融点金属を含む膜からなることを特徴とする請求項１から６のいずれか一項に記載の電気光学装置。
【請求項８】
前記画素電極に接続された蓄積容量を更に備えており、
前記上側遮光膜は、少なくとも部分的に前記蓄積容量を構成する容量線或いは容量電極からなることを特徴とする請求項１から７のいずれか一項に記載の電気光学装置。
【請求項９】
前記基板に対して電気光学物質を介して対向配置された対向基板を更に備えており、前記上側遮光膜に代えて又は加えて、前記対向基板上に、少なくとも前記チャネル領域を上方から覆う他の遮光膜を備えることを特徴とする請求項１から８のいずれか一項に記載の電気光学装置。
【請求項１０】
一対の第１及び第２基板間に電気光学物質が挟持されてなり、
前記第１基板上に、画素電極と、該画素電極に接続された薄膜トランジスタと、該薄膜トランジスタに接続されており第１方向に延びる第１配線と、前記薄膜トランジスタに接続されており前記第１方向に交差する第２方向に延びる第２配線とを備えており、
前記基板には、前記第１配線及び前記第２配線のうち少なくとも一方に対向する領域に第１溝が掘られており、
前記基板には更に、前記第１溝内における前記第１配線及び前記第２配線が交差する領域に島状の第２溝が掘られていることを特徴とする電気光学装置。
【請求項１１】
前記第２溝は、前記第１配線及び前記第２配線が交差する領域に加えて前記第１配線又は前記第２配線に対向する領域にも掘られていることを特徴とする請求項１０に記載の電気光学装置。
【請求項１２】
前記薄膜トランジスタのチャネル領域は、前記第１配線及び前記第２配線が交差する領域に位置することを特徴とする請求項１０又は１１に記載の電気光学装置。
【請求項１３】
前記画素電極に接続された蓄積容量を更に備えており、
前記第１配線又は前記第２配線は、前記蓄積容量を構成する容量線を含むことを特徴とする請求項１０から１２のいずれか一項に記載の電気光学装置。
【請求項１４】
基板上に、
画素電極と、
該画素電極に接続されると共に前記画素電極の下方に積層された薄膜トランジスタと、
該薄膜トランジスタに接続されると共に前記画素電極の下方に積層された配線とを備えており、
前記薄膜トランジスタ及び前記配線は相互に部分的に重なるように積層形成されており、
前記基板には、前記画素電極の下地面が平坦化されるように、前記薄膜トランジスタと前記配線とが重なる領域では両者の膜厚に応じた深さの溝、及び前記配線の形成領域内で前記配線と前記薄膜トランジスタとが重ならない領域では前記配線の膜厚に応じた深さの溝を含む多数段の溝が掘られていることを特徴とする電気光学装置。
【請求項１５】
基板上に、
画素電極と、
該画素電極に接続されると共に前記画素電極の下方に積層された薄膜トランジスタと、
該薄膜トランジスタに接続されると共に前記画素電極の下方に積層された配線とを備えており、
前記薄膜トランジスタ及び前記配線は相互に部分的に重なるように積層形成されており、
前記基板には、前記画素電極の下地面が所定の平面パターンを持つ凸部を有するように、前記薄膜トランジスタの膜厚及び平面レイアウト並びに前記配線の膜厚及び平面レイアウトに応じて多数段の溝が掘られていることを特徴とする電気光学装置。
【請求項１６】
前記基板に対して電気光学物質を介して対向配置された対向基板と、
前記対向基板上に形成されており前記画素電極に対向する対向電極と
を更に備えており、
前記画素電極として、第１の周期で反転駆動されるための第１の画素電極群及び該第１の周期と相補の第２の周期で反転駆動されるための第２の画素電極群を含む平面配列された複数の画素電極を備えており、
前記凸部は、平面的に見て相隣接する画素電極の間隙となる領域のうち異なる画素電極群に含まれる相隣接する画素電極相互間に位置する領域部分に形成されていることを特徴とする請求項１５に記載の電気光学装置。
【請求項１７】
請求項１から１６のいずれか一項に記載の電気光学装置からなるライトバルブと、
該ライトバルブに投射光を照射する光源と、
前記ライトバルブから出射される投射光を投射する光学系と
を備えたことを特徴とする投射型表示装置。
【手続補正３】
【補正対象書類名】明細書
【補正対象項目名】００１２
【補正方法】変更
【補正の内容】
【００１２】
【課題を解決するための手段】
本発明の第１電気光学装置は上記課題を解決するために、基板上に、マトリクス状に配置された配線と、前記配線の交差部に対応して配置される薄膜トランジスタ及び画素電極と、前記薄膜トランジスタの上側に配置されており前記薄膜トランジスタの少なくともチャネル領域を上側から覆う上側遮光膜と、前記薄膜トランジスタの下側に配置されており前記薄膜トランジスタの少なくとも前記チャネル領域を下側から覆う下側遮光膜とを備えており、前記基板には、前記配線及び前記薄膜トランジスタに対向する領域に第１溝が掘られており、前記基板には更に、前記第１溝内における前記チャネル領域に対向する領域に第２溝が掘られており、前記下側遮光膜は、前記第２溝内に形成されている。
【手続補正書】
【提出日】平成16年5月31日(2004.5.31)
【手続補正１】
【補正対象書類名】明細書
【補正対象項目名】特許請求の範囲
【補正方法】変更
【補正の内容】
【特許請求の範囲】
【請求項１】
電子写真画像形成装置においてトナー・フェードを検出するための装置であって、
少なくとも１つのトナー領域を移動可能に支持するように構成され、電磁エネルギーを実質的に反射するように構成された支持面と、
少なくとも２つのエネルギー源であって、各エネルギー源はそれぞれ関連する範囲内の波長の電磁エネルギーを生成し、該電磁エネルギーの少なくとも一部分を前記少なくとも１つのトナー領域の方に導くように構成されている、少なくとも２つのエネルギー源と、
前記少なくとも１つのトナー領域によって反射された電磁エネルギーの相対強度を検出するように構成された少なくとも１つのエネルギー検出器と、
を含む装置。
【請求項２】
前記少なくとも１つのエネルギー検出器が全幅エネルギー検出器である、請求項１に記載の装置。
【請求項３】
少なくとも１つの光ファイバ・フィラメントを含むエネルギー伝送導管をさらに含み、前記少なくとも１つのエネルギー源は、光を前記少なくとも１つの光ファイバ・フィラメント内に導くように構成されている、請求項１に記載の装置。
【請求項４】
前記エネルギー源の各々が、赤、緑、および青から成るグループから選択された関連する色の光を生成するように構成されている、請求項１に記載の装置。
【請求項５】
電子写真画像形成装置においてトナー・フェードを検出するための方法であって、トナー領域から反射された光の強度における相対的変動を捜すステップを含み、
電磁エネルギーは実質的に原色の光であり、
前記トナー領域は、第１の色を有する第１のトナー層と、第２の色を有する第２のトナー層とを有し、
前記第１の色は、実質的に前記原色の補色である、
方法。
【請求項６】
電子写真画像形成装置においてトナー・フェードを検出するための方法であって、
支持面を提供するステップと、
前記支持面上に第１のトナー領域を支持するステップと、
前記支持面上に第２のトナー領域を支持するステップと、
エネルギー源を用いて光を生成するステップと、
前記光を前記支持面に導くステップと、
前記第１および第２のトナー領域を、連続して前記光を通過して移動するステップと、
前記第１のトナー領域から反射された光の強度を検出するステップと、
前記第２のトナー領域から反射された光の強度を検出するステップと、
前記第１のトナー領域から反射された光の強度を前記第２のトナー領域から反射された光の強度と比較して、低トナー状態を示す、前記強度における差が存在するか否かを決定するステップと、
を含む方法。
【請求項７】
前記第１のトナー領域が、第１の色の第１のトナー層と、第２の色の第２のトナー層とを有し、
前記第２のトナー領域が、前記第１の色の第１のトナー層と、前記第２の色の第２のトナー層とを有し、
前記エネルギー源によって生成された光が、実質的に原色であり、
前記第１の色が前記光の色の補色である、
請求項６に記載の方法。
【請求項８】
前記第１のトナー領域が、第１の色の第１のトナー層と、第２の色の第２のトナー層とを有し、
前記第２のトナー領域が、前記第１の色の第１のトナー層と、第３の色の第２のトナー層とを有し、
前記エネルギー源によって生成された光が、実質的に原色であり、
前記第１の色が前記光の色の補色である、
請求項６に記載の方法。
【請求項９】
電子写真画像形成装置においてトナー・フェードを検出するための装置であって、
トナー領域を移動可能に支持するように構成され、紫外線光に対して実質的に光を反射するように構成された支持面と、
紫外線光を生成するように構成され、さらに、該紫外線光の少なくとも一部分を前記トナー領域の方に導くように構成された、少なくとも１つのエネルギー源と、
前記トナー領域から反射された紫外線光の相対強度を検出するように構成された少なくとも１つのエネルギー検出器と、
前記少なくとも１つのエネルギー検出器と通信し、前記トナー領域から反射された前記紫外線光における変動に基づいて、低トナー状態が存在するか否かを決定するように構成されたコントローラと、
を備えている装置。
【請求項１０】
前記支持面が実質的に白色である、請求項９に記載の装置。